(57)【要約】【課題】単調な動きに伴って飽きにくく、使用者が楽しみながら乗り物を移動させ得るようにする。【解決手段】水路１１の両側壁２０の上端部にガイドレール１２を設け、この両ガイドレール１２上を転動するキャスタ１９を設けた台車１３を、この両ガイドレール１２に沿って水路１１上に移動可能に設け、台車１３に設けた円環状のレール２３上をキャスタ３１を介してステージ１４が回転可能となるように設ける。前記台車１３およびステージ１４を貫通し水路１１内の水を掻く櫂１５を備える。この台車１３を貫通する櫂１５は、台車１３を移動させる推進力を効果的に発生するために漕ぐ方向や角度を変えて揺動させる。その揺動に伴って飽きにくくなり、使用者が楽しみながら台車をガイドレールに沿って水路上を移動させることができる。【選択図】図１
0003136981.tif 000002
【実用新案登録請求の範囲】
【請求項１】
水路(１１)の長さ方向の両側に設けたガイドレール(１２)と、このガイドレール(１２)に沿って前記水路(１１)を跨ぐように移動する台車(１３)と、水圧受け面部(１５ｃ)を前記水路(１１)内の水に浸けた状態で前記台車(１３)に設けた櫂(１５)とを備え、前記櫂(１５)の水圧受け面部(１５ｃ)が前記水を押し付けることで発生した推進力により、前記台車(１３)を移動させる水上移動用遊具。
【請求項２】
前記台車(１３)は、その上面に設けた円環状のレール(２３)と、前記レール(２３)上を転動する車輪(３１)を複数設けたステージ(１４)を備えており、前記ステージ(１４)は、その車輪(３１)が前記レール(２３)上を転動することにより前記台車(１３)上を回転可能に設けられ、前記櫂(１５)が前記台車(１３)および前記ステージ(１４)を貫通するように前記台車(１３)に設けられた請求項１に記載の水上移動用遊具。
【請求項３】
前記台車(１３)に連結具(２６)を設け、複数の前記台車(１３)同士を前記連結具(２６)により相互に連結可能とした請求項１または２に記載の水上移動用遊具。
【考案の詳細な説明】
【技術分野】
【０００１】
この考案は、水路に設けたガイドレールに沿って移動可能の台車を、その台車を貫通した櫂を操ることにより水路上を移動させる水上移動用遊具に関する。
【背景技術】
【０００２】
従来から、遊園地やレジャーランドなどに高低差や曲線状の無端の水路を設け、その水路内の水にボートやたらいなどの乗り物を浮かせるとともに、オールで漕いでその乗り物に推進力を与えて水路内を移動するものがある。
【０００３】
このボートなどの乗り物は、水に浮いているだけで、案内されていないので、水流や波により、互いに衝突したり、転倒したりするおそれがある。
この衝突などを防止するために、乗り物本体を水路の長さ方向に設けたガイドレールに沿って移動させる水上移動用遊具が知られている。この水上移動用遊具は、水路内の水に浮遊し人の乗る乗り物本体（フロート）と、このフロートから下方に延びてフロートと上下方向に相対移動可能な軸体と、この軸体に設けられた係合部と係合し水路内の長さ方向に設けられたガイドレールとを備えたものである（特開２００１−１７８９７０号公報  図１参照）。
【０００４】
フロートに乗った乗客は、水路の水を掻くようにオールを漕いで、推進力を発生させて、発生した推進力により、フロートを、軸体を介してガイドレールに沿って移動させる。このとき、フロートは、ガイドレールに係合部を介して支持される軸体によって、上下動可能に支持されているため、転倒のおそれがなくなり、また、ガイドレールにより互いに距離を保って案内されるので、衝突するおそれもなくなる。
【考案の開示】
【考案が解決しようとする課題】
【０００５】
この水上移動用遊具のフロートに乗った乗客（使用者）は、一般に、カヌーを進ませるときのように、オールを体側の前方の水面に入れて、そのまま後方に水を掻くよう漕いで水面から出す動きを繰り返すことでフロートに推進力を発生させ、発生した推進力によりフロートを移動させている。
【０００６】
しかし、フロートを移動させるための、オールを体側の前方から後方に漕ぐ動きが単調となり、面白みに欠けるものである。面白みが欠けるものであれば、乗客はオールを漕ぎ続けることが煩わしくなり、この乗り物に対する興味が半減してしまうという問題があった。
【０００７】
そこで、単調な動きに伴って飽きにくく、使用者が楽しみながら乗り物を移動させ得るようにすることを課題とする。
【課題を解決するための手段】
【０００８】
上記の課題を解決するために、水路の長さ方向の両側に設けたガイドレールと、このガイドレールに沿って前記水路を跨ぐように移動する台車と、水圧受け面部を前記水路内の水に浸けた状態で前記台車に設けた櫂とを備え、前記櫂の水圧受け面部が前記水を押し付けることで発生した推進力により、前記台車を移動させる構成を採用したのである。
【０００９】
このようにすると、台車に設けた櫂は、その水圧受け面部を水路の水に浸けた状態となり、この状態において、使用者は、推進力を効果的に発生させるために櫂を漕ぐ方向、あるいは櫂の水圧受け面部が水を掻く（押し付ける）角度を変えて揺動させる工夫が必要となる。このような工夫をすることで、その揺動に伴って飽きにくくなり、使用者が楽しみながら台車をガイドレールに沿って水路上を移動させることができる。
【００１０】
前記構成において、前記台車は、その上面に設けた円環状のレールと、前記レール上を転動する車輪を複数設けたステージを備えており、前記ステージは、その車輪が前記レール上を転動することにより前記台車上を回転可能に設けられ、前記櫂が前記台車および前記ステージを貫通するように前記台車に設けられた構成を採用することができる。
【００１１】
この構成によると、櫂が水圧受け面部を水路内の水に浸けた状態で揺動され、その揺動によって台車に推進力が発生すると同時に回転力が発生したときに、あるいは、回転力のみが発生したときに、その回転力が台車上に設けたステージをレール上で回転させる。この回転により、使用者は台車を水路上に移動させるだけでなく、ステージを回転させることができるので、より一層飽きることなく、楽しみながら櫂を操り続けることができる。
【００１２】
また、前記台車に連結具を設け、複数の前記台車同士を前記連結具により相互に連結するようにしてもよい。これにより、多人数で櫂を漕いで楽しくそれぞれの台車を移動させることができる。
【考案の効果】
【００１３】
以上のように、この考案は、台車への推進力が効果的に発生するように櫂を揺動させる工夫が必要となるので、その揺動に伴って飽きにくくなり、使用者が楽しみながら台車をガイドレールに沿って水路上を移動させることができる。
【考案を実施するための最良の形態】
【００１４】
以下、この考案の実施形態を添付図面図１〜図８に基づいて説明する。
この実施形態の水上移動用遊具１０は、図１に示すように、水路１１の両側壁２０の上端部に設けたガイドレール１２と、この両ガイドレール１２に沿って水路１１上を移動する台車１３と、台車１３上に回転可能に設けたステージ１４と、台車１３およびステージ１４を貫通し水路内の水を掻く櫂１５を備えたものである。
【００１５】
前記水路１１は、上方が開放した断面コの字状に設けられた溝であり、その内部に水が張られている。この水路１１の長さは、数メートルから数十メートルと、台車１３が充分に移動可能な距離であれば特に限定されず、その形状も直線状、曲線状のいずれでもよい。また、無端の水路１１であってもよい（図８参照）。
【００１６】
前記水路１１の側壁２０は、その上端部が地面から突き出しており、両側壁２０の上面には全長にわたってガイドレール１２が設けられる。この両ガイドレール１２は、上下に長い長円状のパイプを長さ方向に半分割したものが用いられ、その湾曲する外周面が上方に向くように水路１１の両側壁２０の上端部に設けられる。これにより、ガイドレール１２の上面は、全長にわたって幅方向の中央部分が突出する。
【００１７】
ガイドレール１２の材質は、使用時にかかる台車１３の荷重で変形しないものであればよく、例えば、ステンレスや、アルミニウム合金などの金属が好ましい。水路１１が曲線状に設けられるときには、加工が容易なアルミニウム合金を用いればよい。なお、前記ガイドレール１２は、上下に長い長円状のパイプを長さ方向に半分割したものに限られず、例えば、断面円環状のパイプを長さ方向に半分割したもの、断面角型のパイプを長さ方向に対角線で分割したものなどでもよい。
【００１８】
前記両ガイドレール１２、１２に沿って移動する台車１３は、図２に示すように、正方形のベース板１８の下面の各コーナー部分にキャスタ１９が取り付けられたものである。このベース板１８はその一方の対向する両側縁（水路１１の幅方向の両側縁）に、下方へ延びるガード板２１を有する。この両ガード板２１は、水路１１の両側壁２０の外側面を覆い、台車１３の移動時、キャスタ１９の車輪とガイドレール１２との間に異物が噛み込んで台車１３が脱輪したり、手や足などを巻き込んで怪我したりすることを防止する。なお、ベース板１８の下面に取り付けられたキャスタ１９は、各コーナー部分に１個とは限らず、ガイドレール１２に沿って各コーナー部分に２個づつ、合計８個取り付けても良い。このようにすると、１個のキャスタ１９にかかる台車１３の荷重が分散し、台車１３をより小さい力で移動させることができる。
【００１９】
また、ベース板１８の他方の対向する両側縁（水路１１の長さ方向の両側縁）には、下方へ設けた板体２７が設けられており、ベース板１８の両板体２７のうち、一方の板体２７の中央部分に連結具２６の二股片２６ａが取り付けられる（図５、６参照）。
【００２０】
この連結具２６の二股片２６ａは、図５に示す、水上移動用遊具１０を連結する場合に使用され、他の水上移動用遊具１０の台車１３の板体２７に取り付けられた二股片２６ｂと、連結ピン２６ｃにより互いに嵌め合わせた状態で連結することができる。これにより、水上移動用遊具１０同士を連結した状態で移動させることができる（図６参照）。
【００２１】
さらに、前記板体２７に、二股片２６ａ（２６ｂ）を挟んだ両側にバンパ２５を設けてもよい。万が一、水上移動用遊具１０同士が水路１１上で衝突した際の衝撃を吸収することができるからである。
【００２２】
前記ベース板１８の各キャスタ１９の車輪は、図３に示すように、円柱形をなしその外周面（転動面）が内径方向に凹んだ（くびれた）湾曲面となっており、台車１３が両ガイドレール１２、１２上に載せられると、キャスタ１９のローラのくびれた部分がガイドレール１２の中央部分に係合する。このとき、台車１３に荷重がかかると、キャスタ１９の車輪のくびれ部がガイドレール１２の突出部に押し付けられるので、台車１３の幅方向の位置ずれを抑えることができるとともに、台車１３が両ガイドレール１２から脱輪しにくくなる。
【００２３】
ベース板１８の上面には、図２に示すように、円筒状のガイド体２２が固定されており、このガイド体２２は、その外径がベース板１８の一辺の長さと同じである。このガイド体２２の内側のベース板１８にレール２３が円環状に設けられる。
【００２４】
このレール２３は、上下に長い長円状のパイプを長さ方向に半分割したものが用いられ、その湾曲する外周面が上方に向くように、そのガイド体２２の内径よりも少し小さく、そのガイド体２２と同心状に設けられる。これにより、レール２３の上面は、全長にわたって幅方向の中央部分が突出する。レール２３の材質としては、使用時にかかるステージ板１４の荷重によって変形しないものであればよく、例えば、ステンレスや、アルミニウム合金などの金属が好ましい。
【００２５】
ベース板１８のガイドレール２３の内側は、円形に開口しており、この開口部２４は、これを貫通する櫂１５が、その周縁部に接触しないような大きさとなっている。
【００２６】
台車１３のベース板１８上にはステージ１４が設けられる。このステージ１４は、図１、２に示すように、キャスタ３１を取り付けた円板３０と、円板３０上に固定した支柱１６と、この各支柱１６により支えられるルーフ１７とから構成される。
【００２７】
前記円板３０は、中央部分に円形の透明板３２が嵌められ、この透明板３２には、櫂１５を通す（貫通する）透孔３３が設けられている。この円板３０の大きさは、少なくとも人が１人立つことができる大きさであればよい（図１参照）。ステージ１４の円板３０上に１人以上乗る場合、その人数が乗ることができる大きさとし、例えば、４人乗る場合では、櫂１５を通す透孔３３を４つ設けて、各人が櫂１５を操るようにすることができる。
【００２８】
前記円板３０の透孔３３は、透明板３２の周縁寄りの偏心した位置に設けられる（図２参照）。この透明板３２が透明であるので、透明板３２および台車１３の開口部２４を通して、櫂１５の動きを見ることができる。
【００２９】
ステージ１４の円板３０の下面周縁寄りの周方向に、前記キャスタ３１が等間隔に４つ取り付けられ、各キャスタ３１は、転動可能な車輪を有する。このキャスタ３１の車輪は、台車１３に取り付けたキャスタ１９のローラと同様、円柱形をなしその外周面が凹んだ（くびれた）湾曲面となっている。なお、このキャスタ３１の数は、４つに限られず、４つ以上の数、例えば、８つでもよい。キャスタ３１の数を８つにすると、１つのキャスタ３１にかかる荷重が小さくなるため、ステージ１４を回転させるための力を小さくすることができる。
【００３０】
前記ステージ１４のキャスタ３１をレール２３上に載せると、キャスタ３１の車輪のくびれた部分がレール２３の突出部に係合する（図３参照）。このとき、ステージ１４に荷重がかかると、キャスタ３１の車輪のくびれ部がレール２３の突出部に押し付けられるので、ステージ１４の周方向のガタツキが抑えられる。さらに、レール２３の突出部によりキャスタ３１の車輪が案内されるので、スムーズに台車１３上を回転させることができる。
【００３１】
また、透明板３２の透孔３３を貫通する櫂１５は、図４に示すように、ステージ１４上に乗る使用者がつかむ棒状のハンドル１５ａと、板状の水路内１１の水を掻く水圧受け面部１５ｃと、これらを連結する連結棒１５ｂとから構成される。前記ハンドル１５ａの長さ方向の中間位置に連結棒１５ｂの上端部がハンドル１５ａに対して直角に設けられ、連結棒１５ｂの下端部が水圧受け面部１５ｃと平行に設けられている。
【００３２】
この櫂１５は、ステージ上の使用者がハンドル１５ａをつかんだ状態で、連結棒１５ｂがステージ１４の透孔３３および、台車１３の開口部２４を貫通するとともに、水圧受け面部１５ｃが水路１１内の水に浸かる位置に設けられる（図４参照）。
【００３３】
ステージ１４の円板３０の上面周縁寄りの周方向には、４本の前記支柱１６が等間隔に固定され、４本の支柱１６によりルーフ１７が支えられている。各支柱１６は、透明板３２の透孔３３が前方となるように使用者がステージ１４上に乗った状態において、その使用者の前方の視界を妨げない位置に固定される。
【００３４】
各支柱１６の上下方向の中間位置には、図１に示すように、その各支柱１６の間に掛け渡すように安全バー３４が固定される。この安全バー３４は、４本の支柱１６のうち、前記の状態において使用者左側に固定された隣り合う２本の支柱１６の間には設けられておらず、この安全バー３４の代わりに、チェーン３５が掛け渡されている。この安全バー３４により、各支柱１６が傾くのを防止するとともに、使用者がステージ１４から脱落するのを防止する。
【００３５】
このチェーン３５の一端は、支柱１６に対して取り外しすることができ、使用者がステージ１４に乗る際、前記安全バー３４をくぐったり、またいだりせずに、チェーン３５の一端を外して、ステージ１４に乗ることができるため、使用者のステージ１４への乗り降りが容易になる。
【００３６】
以下、この実施形態の水上移動用遊具１０の使用方法を説明する。
まず、使用者は支柱１６のチェーン３５の一端を外し、ステージ１４上に乗り、チェーン３５を支柱１６に係止する。その後、櫂１５のハンドル１５ａを握って櫂１５を揺動させる。このとき、櫂１５は、その軸部１５ｂがステージ１４の円板３０、および台車１３のベース板１８を貫通し、下部の水圧受け部１５ｃが水路１１の水Ｗに浸かった状態となっている。
【００３７】
この状態で、櫂１５のハンドル１５ａの通る軌跡を、例えば、図７に示すように、櫂で和船を進ませる際に櫂が描く略８の字状と同じ軌跡となるように櫂１５を揺動させる。この揺動に伴って、櫂１５の水圧受け面部１５ｃが水Ｗを掻いて台車１３に使用者の向いている向き（前向き）の推進力が得られる。この推進力により、台車１３をガイドレール１２に沿って水路１１上を前向きに移動させることができる。
【００３８】
また、櫂１５のハンドル１５ａの通る軌跡を略８の字を維持しながら、櫂１５の水圧受け面部１５ｃの、水Ｗを掻く際の角度を適宜変えることで、使用者が向いている向きと反対向き（後向き）の推進力、あるいは、ステージ１４に対する回転力が得られる。
【００３９】
これらの力により、前記前向きまたは後向きの推進力と、回転力が同時に得られ、台車１３を前向き（後向き）に移動させながら、ステージ１４を回転させることができる。
【００４０】
このように、台車１３の移動、またはステージ１４の回転をさせるには、櫂１５のハンドル１５ａの通る軌跡を略８の字を維持しながら、櫂１５の水圧受け面部１５ｃの、水Ｗを掻く際の角度を適宜変える必要があるため、櫂１５の揺動が単調なものとならず、櫂１５を漕ぐことを楽しく続けることができる。
【００４１】
また、この実施形態の水上移動用遊具１０が移動する水路１１は、図７に示すような直線状に設けられたものでもよいが、例えば、図８に示すように、曲線部分を有する無端の水路１１として設け、その水路１１上に複数の水上移動用遊具１０を設けるようにしてもよい。このようにすると、これらの水上移動用遊具１０を水路１１に沿って周回させることができる。さらに、水路１１を所要位置で分岐して、その分岐した水路１１をプラットフォーム４０に導き、このプラットフォーム４０で水上移動用遊具１０を乗り降りするようにしてもよい。
【００４２】
プラットフォーム４０での乗り降りの際には、もやい綱（図示省略）で水上移動用遊具１０をプラットフォーム４０に仮止めする。これにより、水上移動用遊具１０が水路１１上で固定されるので、使用者の乗降中に強風にあおられるなどして水路１１上を移動して、使用者が、水路１１に転落したり、２台の水上移動用遊具１０の間に挟まれて怪我したりすることを防止できる。
【図面の簡単な説明】
【００４３】
【図１】実施形態の水上移動用遊具の斜視図
【図２】同上の水上移動用遊具の分解斜視図
【図３】同上の水上移動用遊具の台車とステージとの関係を示す要部拡大断面図
【図４】同上の水上移動用遊具の使用状態を示す断面図
【図５】同上の水上移動用遊具の連結状態を示す概略図
【図６】同上の水上移動用遊具の連結具を示す断面図
【図７】同上の水上移動用遊具の使用状態を示す上面図
【図８】同上の水上移動用遊具の移動する他の水路を示す概略図
【符号の説明】
【００４４】
１０  水上移動用遊具
１１  水路
１２  ガイドレール
１３  台車
１４  ステージ
１５  櫂
１６  支柱
１７  ルーフ
１８  ベース板
１９  キャスタ
２０  側壁
２１  ガード板
２２  ガイド体
２３  レール
２４  開口部
２５  バンパ
２６  連結具
２７  板体
３０  円板
３１  キャスタ
３２  透明板
３３  透孔
３４  安全バー
３５  チェーン
４０  プラットフォーム
【図１】
0003136981.tif 000003
【図２】
0003136981.tif 000004
【図３】
0003136981.tif 000005
【図４】
0003136981.tif 000006
【図５】
0003136981.tif 000007
【図６】
0003136981.tif 000008
【図７】
0003136981.tif 000009
【図８】
0003136981.tif 000010